(57)【要約】      （修正有）【課題】身体各部を局部的に加温し、防寒耐力を向上させる身体加温具及び加温具付衣服を提供する。【解決手段】断熱フィルム１の上面に反射フィルム２を層着し、反射フィルム２の上面へ電熱加温シート３を層着し、該電熱加温シート３の上面へ耐熱フィルム４を被着し、前記電熱加温シート３に電極６を接続した電熱加温シート５と、前記電熱加温シート３へ電気を付与する電池１１及び前記電熱加温シート３の加温温度を調整するコントローラー１２を収納した電池ボックス１０と組み合せたことを特徴とする。【選択図】図１
2008000304.tif 000002
【特許請求の範囲】
【請求項１】
断熱フィルムの上面に反射フィルムを層着し、反射フィルムの上面へ電熱加温シートを層着し、該電熱加温シートの上面へ耐熱フィルムを被着し、前記電熱加温シートに電極を接続した電熱加温シートと、前記電熱加温シートへ電気を付与する電池入り制御ボックスと組み合せたことを特徴とする身体加温具。
【請求項２】
請求項１記載の身体加温具の電熱加温シートを衣服類に装着し、これに、電熱加温シートへ通電入力する為の電池入り制御ボックスを付属させたことを特徴とする衣服用身体加温具。
【請求項３】
短靴の中敷部又は長靴の足部へ請求項１記載の身体加温具の電熱加温シートを設置したことを特徴とする加温具付靴。
【請求項４】
帽子又は頭巾の帽体側壁へ請求項１記載の身体加温具の電熱加温シートを装着したことを特徴とする加温具付帽子。
【請求項５】
上衣の背部、腰部、又は肩部内側へ請求項１記載の身体加温具の電熱加温シートを装着したことを特徴とする加温具付上衣。
【請求項６】
ベストの背部又は背骨部の両方又は一方に請求項１記載の身体加温具の電熱加温シートを装着したことを特徴とする加温具付衣服。
【請求項７】
手袋の甲部内側又は手首部の一方又は両方へ、請求項１記載の身体加温具の電熱加温シートを装着したことを特徴とする加温具付手袋。
【発明の詳細な説明】
【技術分野】
【０００１】
この発明は、極寒地などの野外において、身体各部又は一部を加温することを目的とした身体加温具及び加温具付衣服に関する。
【背景技術】
【０００２】
従来身体の局部を加温する為に、発熱シート付衣服（靴、手袋、腹巻）の提案があり、夫々目的を達成していると推定される。
【０００３】
例えば、自己温度制御面状発熱体を靴底内にセットする考案がある。また作業用手袋の甲部へ面状発熱体を外封材で密封した考案の提案がある。
【０００４】
更にヒーターを腹巻にセットした温熱バンドの提案がある。
【特許文献１】実用新案登録第３１１６６９３号
【特許文献２】実用新案登録第３０６１７５０号
【特許文献３】実用新案登録第２５８３６０７号
【発明の開示】
【発明が解決しようとする課題】
【０００５】
従来面状ヒーター又は２枚のフィルム間へ電熱線を敷設し、これに通電して発熱を得ようとする試みがなされている。然し乍ら、面状発熱体であっても、熱効率、強靭性、全体の厚さを小さく収めること、発熱コントロールの難易、耐久性などの幾多の改良点があって、開発中である。
【０００６】
また発熱においても、単に加温する場合と、遠赤外線を放射する場合とでは大差がある。また極寒地においては、外部温度が低い為に電池を電源とする場合には、加温効果の低下があるなどの諸々の問題点があった。
【課題を解決するための手段】
【０００７】
この発明は、前記各種問題点に鑑み、外部側に断熱フィルムを用い、熱を内側へ向かわせる為に反射フィルムを介して電熱加温シートを層着し、その上に保護フィルムを被着して前記従来の問題点を解決したのである。
【０００８】
即ちこの発明は、断熱フィルムの上面に反射フィルムを層着し、反射フィルムの上面へ電熱加温シートを層着し、該電熱加温シートの上面へ耐熱フィルムを被着し、前記電熱加温シートに電極を接続した電熱加温シートと、前記電熱加温シートへ電気を付与する電池入り制御ボックスと組み合せたことを特徴とする身体加温具である。また、衣服の発明は、請求項１記載の身体加温具の電熱加温シートを衣服類に装着し、これに、電熱加温シートへ通電入力する為の電池入り制御ボックスを付属させたことを特徴とする衣服用身体加温具であり、短靴の中敷部又は長靴の足部へ請求項１記載の身体加温具の電熱加温シートを設置したことを特徴とする加温具付靴であり、帽子又は頭巾の帽体側壁へ請求項１記載の身体加温具の電熱加温シートを装着したことを特徴とする加温具付帽子である。
【０００９】
更に他の発明は、上衣の背部、腰部、又は肩部内側へ請求項１記載の身体加温具の電熱加温シートを装着したことを特徴とする加温具付上衣であり、また、ベストの背部又は背骨部の両方又は一方に請求項１記載の身体加温具の電熱加温シートを装着したことを特徴とする加温具付衣服であり、手袋の甲部内側又は手首部へ、請求項１記載の身体加温具の電熱加温シートを装着したことを特徴とする加温具付手袋である。
【００１０】
前記断熱フィルムとしては、発泡ウレタンフィルム（厚さ１ｍｍ〜２ｍｍ）、反射フィルムとしては、アルミニューム箔又はポリプロフィルムにアルミニューム蒸着した反射フィルム（厚さ０．５ｍｍ以下）、電熱加温シート（厚さ０．５ｍｍ〜１．０ｍｍ、ポリプロフィルムに炭化布をラミネートした）、更に断熱フィルム（例えばウレタンフィルム）を被着し、全体を３ｍｍ〜４ｍｍの厚さにまとめる。
【００１１】
前記電熱加温シートは、和紙の糸で織成した布を炭化して製造するので、厚くも薄くもできるが、通常の電熱加温シートとしては、厚さ０．５ｍｍ〜１．０ｍｍが普通である。また、耐熱性合成樹脂フィルムの一面に、炭素粒を塗布又は印刷して発熱層を設けることもできる。この場合には、炭素粒の径と、フィルムの厚さで全体の厚さが決まるので、厚さは０．３ｍｍ〜０．６ｍｍとか自由に設定することができると共に、通電して加温すると、前記炭素粒が離れるので、通電困難となる特性を利用し、自動温度制御の電熱加温シートを得ることができる。
【００１２】
このような構造においては、電熱加温シートの温度が自動制御されるので、電源、電圧の不調又はコントローラーの故障などの為に、突然大きい電流が流れるような事故は未然に防止される。
【００１３】
従って衣服などに装着しても、上限温度を例えば５０℃に定めておけば、火傷を生じるおそれなく、過熱による損傷も皆無となる。
【発明の効果】
【００１４】
この発明によれば、電熱加温シートが薄いので、靴、腹巻、上衣、手袋、帽子などに装着する場合に厚さの制約がなく、自由にセットできる効果がある。
【００１５】
また面発熱であって、身体へ均等加温できるので、皮膚との関係が安定し、局部過熱による事故を生じる余地がないなどの効果がある。
【００１６】
また強靭であって、長期使用に対し十分の耐久性を期待できる効果がある。また柔軟性があるので、装着形状に制約がなく（平面でも凹凸面でも自由）、加圧、引張についても、フィルムの層着により耐力が増加するので、使用中破損などのおそれはないなどの諸効果がある。
【発明を実施するための最良の形態】
【００１７】
この発明は、断熱フィルムの上にアルミ箔を層着し、アルミ箔の上に和紙よりなる織布の炭化シートを層着し、炭化シートの上面を耐熱フィルムで被着した電熱加温シートを、衣服の加温部に装着すると共に、電池入りボックスを組み合せて、この発明の衣服用身体加温具を得た。
【００１８】
前記において、電熱加温シートは衣服に縫着し、電池入りボックスはポケットに収容すれば、野外各所へ行った場合であっても、確実に保温を期待することができる。例えば１０ｃｍ２の電熱加温シートに、単４電池４本で、７時間保温（発熱部５０℃）ができる。
【実施例１】
【００１９】
この発明の実施例を図１について説明すれば、厚さ１．２ｍｍの発泡ポリウレタンフィルム１の上面に厚さ０．２ｍｍのアルミニューム蒸着フィルム２を層着し、その上面に厚さ０．５ｍｍの炭化和紙布３を層着し、両側に電極６、６をセットし、全面に厚さ０．１ｍｍのポリプロフィルム４を被着して、厚さ２ｍｍの遠赤外線を放射する電熱加温シート５が生成された。
【００２０】
前記電熱加温シート５のリード線７、７のコード８端にプラグ９を接続し、電池１１を収容し、コントローラー１２を収容した電池ボックス１０のコンセント１３に接続すれば、前記電池１１の電気により、前記電熱加温シート５を加熱することができる。図中１４は調整摘みである。前記電熱加温シート５と、電池ボックス９の組み合せによりこの発明の身体加温具ができる。
【実施例２】
【００２１】
この発明の実施例を図２（ａ）について説明すれば、長靴１５の筒状部１５ａにポケット１６を設けて電池ボックス１０を収容する。また靴部１５ｂの底と、筒状部１５ａの内側へ電熱加温シート５を夫々設置し、夫々電池との回路を完結する。図中１４は調整摘みである。
【００２２】
また図２（ｂ）について説明すれば、編上げ靴１７の筒状部１７ａにポケット１８を設けて電池ボックス１０を収容し、筒状部１７ａ及び靴底部へ電池加温シート５を夫々設置する。前記において、中敷板３４へ電熱加温シート５を埋設すれば、中敷板３４を収容するのみで、セットすることができる。
【００２３】
この実施例においては、コントローラー１２の摘み１４により適宜調整して、電池ボックス１０をポケット１８に収容すれば、適宜の加温温度（例えば４０℃）で夫々加温することができる。この場合に、断熱フィルム側を外側にすることは当然である。
【００２４】
前記実施例によれば、断熱フィルム１と、反射フィルム２によって、電熱加温シートの熱量は悉く内側向きになることと、遠赤外線の為に発熱が有効に使われ、比較的少電力で、必要な保温効果を得ることができる。
【実施例３】
【００２５】
この発明の他の実施例を図３（ａ）について説明すると、頭巾１９の頭部及び首部の内側にかけてこの発明の電熱加温シート５を設置し、その電池ボックス１０は、ポケット２０に収容する。前記実施例において、電熱加温シート５からコードを伸ばし、ボックスを上衣のポケットへ収納することもできる。
【００２６】
次に図３（ｂ）によれば、帽子２１の帽体部２１ａに、電熱加温シート５を設置し、そのコード８を伸ばして、電池ボックス１０を上衣のポケットなどに収容すれば、安定して保持することができる。
【実施例４】
【００２７】
この発明の実施例を図４について説明すれば、加温帯２２の内側に電熱加温シート５を取付け、前記加温帯２２の外側に電池ボックス１０のポケット２３を設けたもので、図中２４、２５は加温帯仮着用の面ファスナー、２６は案内環である。
【００２８】
前記実施例に代えて、通常の腹巻２７へ、電熱加温シート５を取付けることもできる。この場合に、腹巻２７へポケット２８を設け、又はコード８を介して電池ボックス１０を上衣のポケットへ収容することもできる。前記腹巻２７は伸縮編にしてある（図４（ｅ））。
【００２９】
また電熱加温シート５をパット２９にセットし、前記パット２９に紐３０、３０をつけて、芯体適宜に縛着することもできる。この場合にはパット２９の裏側へポケット３１を設けて電池ボックスを入れることができる。
【実施例５】
【００３０】
この発明の実施例を図５（ａ）について説明すれば、手袋３２の甲部内側（または手首部）にこの発明の電熱加温シート５、５を設置する。この場合に、電池ボックス１０は、コード８を介して接続され、例えば上衣のポケットなどに収容される。
【００３１】
また図５（ｂ）は、靴下３３の足部及び脚部へ、電熱加温シート５を設置した場合の実施例である。また図５（ｃ）は、靴の底敷３５へ電熱加温シート５を設置した実施例である。
【００３２】
この場合には、電熱加温シート５にはコード８を介して電池ボックス１０が接続され、電池ボックス１０は、上衣のポケットその他に収容保持される。
【００３３】
この発明の実施例を図６について説明すると、図６（ａ）において、ベスト３４の肩部及び背骨部へ電熱加温シート５、５を装着したものである。
【００３４】
前記ベスト３４を着用すれば、肩又は背骨部を適温（例えば４０℃〜５０℃）に加熱することができる。
【００３５】
前記実施例においては、電熱加温シート５、５を、ベストの肩部へ夫々装着させたが、装着数又は装着場所について、特に制約はない。
【図面の簡単な説明】
【００３６】
【図１】（ａ）この発明の電熱加温シートの実施例の一部を省略した断面拡大図、（ｂ）同じく一部を省略した平面図、（ｃ）同じく電池ボックスの実施例の拡大斜視図。
【図２】（ａ）同じく長靴に応用した実施例の斜視図、（ｂ）同じく編上げ靴の実施例の斜視図、（ｃ）同じく底敷の平面図。
【図３】（ａ）同じく頭巾の実施例の斜視図、（ｂ）同じく帽子の実施例の一部を省略した斜視図。
【図４】（ａ）同じく腹帯の実施例の一部を省略した裏側斜視図、（ｂ）同じく一部を省略した表側斜視図、（ｃ）同じくパットの実施例の一部を省略した裏側斜視図、（ｄ）同じく一部を省略した表側斜視図、（ｅ）同じく腹巻の実施例の斜視図。
【図５】（ａ）同じく手袋の実施例の斜視図、（ｂ）同じく靴下の実施例の平面図。
【図６】（ａ）同じくベストの実施例の正面図、（ｂ）同じく背面図。
【符号の説明】
【００３７】
１  断熱フィルム
２  反射フィルム
３  電熱加温シート
４  耐熱フィルム
５  電熱加温シート
６  電極
７  リード線
８  コード
９  プラグ
１０  電池ボックス
１１  電池
１２  コントローラー
１３  コンセント
１４  調整摘み
１５  長靴
１７  編上げ靴
１９  頭巾
２１  帽子
２２  加温帯
２７  腹巻
２９  パット
３２  手袋
３３  靴下
【図１】
2008000304.tif 000003
【図２】
2008000304.tif 000004
【図３】
2008000304.tif 000005
【図４】
2008000304.tif 000006
【図５】
2008000304.tif 000007
【図６】
2008000304.tif 000008